【手続補正書】
【提出日】平成20年9月22日(2008.9.22)
【手続補正１】
【補正対象書類名】明細書
【補正対象項目名】００５０
【補正方法】変更
【補正の内容】
【００５０】
例えば、マイクロホンＭ１が（ｘ１、０）に位置し、マイクロホンＭ２が（ｘ２、０）に位置すると仮定する（このように仮定しても一般性を失わない）。また、求める音源位置の集合上の点を（ｘ、ｙ）とおき、上記距離差をｄとおくと、以下の数式１が成り立つ。
【数１】
2008197577.tif 000001
（数式１）
【手続補正２】
【補正対象書類名】明細書
【補正対象項目名】００５４
【補正方法】変更
【補正の内容】
【００５４】
図６は、３つの入力音声の位相差に基づいて入力音声の音源位置を推定する様子を示した説明図である。図６に示したような音声収音部１１０を構成するマイクロホンＭ３、マイクロホンＭ４およびマイクロホンＭ５の配置を想定した場合、マイクロホンＭ３およびマイクロホンＭ４に到達する入力音声の位相に比較してマイクロホンＭ５に到達する入力音声の位相が遅れていれば、距離方向推定器１３６は、音源がマイクロホンＭ３およびマイクロホンＭ４を結ぶ直線１に対してマイクロホンＭ５の逆側に位置すると判定できる（前後判定）。
【手続補正３】
【補正対象書類名】明細書
【補正対象項目名】００６２
【補正方法】変更
【補正の内容】
【００６２】
図８は、３つの入力音声の音量に基づいて入力音声の音源位置を推定する様子を示した説明図である。図８に示したような音声収音部１１０を構成するマイクロホンＭ３、マイクロホンＭ４およびマイクロホンＭ５の配置を想定した場合、マイクロホンＭ３およびマイクロホンＭ４に到達する入力音声の位相に比較してマイクロホンＭ５に到達する入力音声の位相が遅れていれば、距離方向推定器１３６は、音源がマイクロホンＭ３およびマイクロホンＭ４を結ぶ直線２に対してマイクロホンＭ５の逆側に位置すると判定できる（前後判定）。
【手続補正４】
【補正対象書類名】明細書
【補正対象項目名】００７２
【補正方法】変更
【補正の内容】
【００７２】
図３を参照して音声記録装置１０の構成の説明に戻ると、音源分離部１４０は、音声判定部１２０から操作者音声存在情報が入力されると、音声判定部１２０から入力される音源の位置情報に基づき、音声収音部１１０から入力される入力音声を操作者の音声などの近傍音声と、近傍音声以外の被写体の音声などの収音対象音声（第二の音声）とに分離する。その結果、音源分離部１４０は、入力される入力音声の数の倍の数の音声を出力する。図３においては、音源分離部１４０が左音声Ｌおよび右音声Ｒを入力音声として入力され、左近傍音声Ｌ１および右近傍音声Ｒ１を近傍音声として出力し、左収音対象音声Ｌ２および右収音対象音声Ｒ２を収音対象音声として出力する様子を示している。
【手続補正５】
【補正対象書類名】明細書
【補正対象項目名】００７５
【補正方法】変更
【補正の内容】
【００７５】
なお、音声混合部１５０は、入力される左近傍音声Ｌ１および左収音対象音声Ｌ２を混合して混合左音声Ｌを生成し、入力される右近傍音声Ｒ１および右収音対象音声Ｒ２を混合して混合右音声Ｒを生成し、混合左音声Ｌおよび混合右音声Ｒを混合音声として記録部１６０に出力する。
【手続補正６】
【補正対象書類名】明細書
【補正対象項目名】００７７
【補正方法】変更
【補正の内容】
【００７７】
記録部１６０は、音声混合部１５０から入力された混合音声を記憶部１７０に記録する。記憶部１７０は、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）などの不揮発性メモリや、ハードディスクおよび円盤型磁性体ディスクなどの磁気ディスクや、ＣＤ−Ｒ（Ｃｏｍｐａｃｔ  Ｄｉｓｋ  Ｒｅｃｏｒｄａｂｌｅ）／ＲＷ（ＲｅＷｒｉｔａｂｌｅ）、ＤＶＤ−Ｒ（Ｄｉｇｉｔａｌ  Ｖｅｒｓａｔｉｌｅ  Ｄｉｓｋ  Ｒｅｃｏｒｄａｂｌｅ）／ＲＷ／＋Ｒ／＋ＲＷ／ＲＡＭ（Ｒａｍｄｏｍ  Ａｃｃｅｓｓ  Ｍｅｍｏｒｙ）およびＢＤ（Ｂｌｕ−Ｒａｙ  Ｄｉｓｃ（登録商標））―Ｒ／ＢＤ−ＲＥなどの光ディスクや、ＭＯ（Ｍａｇｎｅｔｏ  Ｏｐｔｉｃａｌ）ディスクなどの記憶媒体であってもよい。なお、記憶部１７０は、被写体の映像データも記憶することができる。
【手続補正７】
【補正対象書類名】明細書
【補正対象項目名】００９４
【補正方法】削除
【補正の内容】
【手続補正８】
【補正対象書類名】特許請求の範囲
【補正対象項目名】全文
【補正方法】変更
【補正の内容】
【特許請求の範囲】
【請求項１】
入力音声に特定音源から発せられた第一の音声が含まれているか否かを判定する音声判定部と；
前記音声判定部により前記入力音声に前記第一の音声が含まれていると判定された場合、前記入力音声を前記第一の音声と前記特定音源以外の音源から発せられた第二の音声とに分離する音声分離部と；
前記音声分離部により分離された前記第一の音声と前記第二の音声を、任意の音量比率で混合する音声混合部と；
を備えることを特徴とする、音声処理装置。
【請求項２】
前記特定音源は前記入力音声の収録位置から設定距離の範囲内に位置することを特徴とする、請求項１に記載の音声処理装置。
【請求項３】
前記第一の音声は、前記入力音声を収音する際に用いられた装置の操作者に起因する音声を含み、
前記第二の音声は、収音対象から発せられた音声を含むことを特徴とする、請求項２に記載の音声処理装置。
【請求項４】
前記音声判定部は、前記入力音声の音量または音質の少なくともいずれかに基づいて前記入力音声に前記第一の音声が含まれているか否かを判定することを特徴とする、請求項３に記載の音声処理装置。
【請求項５】
映像を撮像する撮像部をさらに備え、
前記音声判定部は、入力音声に含まれる１または２以上の音源から発せられた音声の音量または位相の少なくともいずれかに基づいて前記音源の位置情報を算出する位置情報算出部を備え、前記入力音声の音源の位置が前記撮像部の撮像方向の後方であると前記位置情報算出部により算出され、前記入力音声が人間の音声と一致または近似する音質である場合、前記入力音声に特定音源から発せられた前記第一の音声が含まれていると判定することを特徴とする、請求項４に記載の音声処理装置。
【請求項６】
前記入力音声の音源の位置が収音位置から設定距離の範囲内であり、前記入力音声にインパルス音が含まれ、前記入力音声が過去の平均音量と比較して大きい場合、前記音声判定部は、前記入力音声に特定音源から発せられた前記第一の音声が含まれていると判定することを特徴とする、請求項４に記載の音声処理装置。
【請求項７】
前記入力音声を収音する複数の収音部と；
前記音声混合部により混合された混合音声を記憶媒体に記録する記録部と；
を備えることを特徴とする、請求項１に記載の音声処理装置。
【請求項８】
前記入力音声を記憶している記憶媒体と；
前記記憶媒体に記憶されている前記入力音声を再生し、前記位置情報算出部、前記音声判定部および前記音声分離部の少なくともいずれかに出力する再生部と；
を備えることを特徴とする、請求項５に記載の音声処理装置。
【請求項９】
前記入力音声の音量が補正されている場合、前記音声分離部により分離された前記第二の音声の音量に、前記補正の程度に応じた逆補正を行なう音量補正部と；
を備えることを特徴とする、請求項１に記載の音声処理装置。
【請求項１０】
入力音声の分離を行う音声分離部と；
前記音声分離部により分離された音声に特定音源から発せられた第一の音声が含まれているか否かを判定する音声判定部と；
前記音声分離部により分離された前記第一の音声と前記特定音源以外の音源から発せられた第二の音声を、任意の音量比率で混合する音声混合部と；
を備えることを特徴とする、音声処理装置。
【請求項１１】
コンピュータを、
入力音声に特定音源から発せられた第一の音声が含まれているか否かを前記音源の位置情報に基づいて判定する音声判定部と；
前記音声判定部により前記入力音声に前記第一の音声が含まれていると判定された場合、前記入力音声を前記第一の音声と前記特定音源以外の音源から発せられた第二の音声とに分離する音声分離部と；
前記音声分離部により分離された前記第一の音声と前記第二の音声とを、任意の音量比率で混合する音声混合部と；
を備えることを特徴とする音声処理装置として機能させるための、プログラム。
【請求項１２】
前記音声判定部は、前記入力音声の音量または音質の少なくともいずれかに基づいて前記入力音声に前記第一の音声が含まれているか否かを判定することを特徴とする、請求項１１に記載のプログラム。
【請求項１３】
映像を撮像する撮像部をさらに備え、
前記音声判定部は、入力音声に含まれる１または２以上の音源から発せられた音声の音量または位相の少なくともいずれかに基づいて前記音源の位置情報を算出する位置情報算出部を備え、前記入力音声の音源の位置が前記撮像部の撮像方向の後方であると前記位置情報算出部により算出され、前記入力音声が人間の音声と一致または近似する音質である場合、前記入力音声に特定音源から発せられた前記第一の音声が含まれていると判定することを特徴とする、請求項１２に記載のプログラム。
【請求項１４】
前記入力音声の音源の位置が収音位置から設定距離の範囲内であり、前記入力音声にインパルス音が含まれ、前記入力音声が過去の平均音量と比較して大きい場合、前記音声判定部は、前記入力音声に特定音源から発せられた前記第一の音声が含まれていると判定することを特徴とする、請求項１２に記載のプログラム。
【請求項１５】
入力音声に特定音源から発せられた第一の音声が含まれているか否かを前記音源の位置情報に基づいて判定するステップと；
前記入力音声に前記第一の音声が含まれていると判定された場合、前記入力音声を前記第一の音声と前記特定音源以外の音源から発せられた第二の音声とに分離するステップと；
前記分離された前記第一の音声と前記第二の音声を、任意の音量比率で混合するステップと；
を含むことを特徴とする、音声処理方法。